(57)【要約】【課題】撮像装置が備える顔検出機能により被写体の種類を自動的に判別し、被写体に応じて適切な方法で撮影のための注意喚起をさせる。【解決手段】撮像装置は、被写体への注意喚起をする振り向き音を記憶し、被写体の種類に基づき音声再生する振り向き音を設定し、ユーザ操作に応じて撮影する画像の被写体を認識し、被写体の種類を判定し、判定の結果の被写体種類に基づいて、少なくとも振り向き音の再生により被写体への注意喚起を実行することを特徴とする。【選択図】図１
2015208029.tif 000002
【特許請求の範囲】
【請求項１】
ユーザ操作に応じて画像を撮影する撮像手段を備える撮像装置において、
被写体への注意喚起をする振り向き音を記憶する記憶手段と、
前記記憶手段で記憶した前記振り向き音を、被写体の種類に基づき音声再生すべく設定する振り向き音設定手段と、
ユーザ操作に応じて撮影する画像の被写体を認識する被写体認識手段と、
前記被写体認識手段で認識した被写体の種類を判定する判定手段と、
前記判定手段で判定された被写体の種類に基づいて、少なくとも前記振り向き音設定手段で設定した振り向き音の再生により被写体への注意喚起を実行する注意喚起手段と
を備えることを特徴とする撮像装置。
【請求項２】
前記判定手段は、前記被写体認識手段で認識した被写体が、人物の顔であるか動物の顔であるか否かを判定し、
前記注意喚起手段は、前記判定手段で前記被写体が人物の顔であると判定された場合に、前記振り向き音設定手段で設定した人物への注意喚起を実行し、前記判定手段で前記被写体が動物の顔であると判定された場合に、前記振り向き音設定手段で設定した動物への注意喚起を実行することを特徴とする請求項１に記載の撮像装置。
【請求項３】
前記振り向き音設定手段は、前記被写体認識手段で複数種類の被写体を認識した場合に、どの被写体に対する注意喚起を優先させるかを設定する優先設定手段を備え、
前記被写体認識手段で認識した被写体が複数種類ある場合に、前記注意喚起手段は、前記優先設定手段で設定された被写体に対する注意喚起を優先して実行することを特徴とする請求項１または２に記載の撮像装置。
【請求項４】
前記振り向き音設定手段は、前記被写体への注意喚起をする振り向き音を繰り返し再生すべく設定する繰り返し再生設定手段を備えることを特徴とする請求項１乃至３のいずれか１項に記載の撮像装置。
【請求項５】
前記注意喚起手段は、前記撮像手段でユーザ操作に応じて画像が撮像されると、前記振り向き音を停止する停止手段を備えることを特徴とする請求項１乃至４のいずれか１項に記載の撮像装置。
【請求項６】
ユーザ操作に応じて画像を撮影する撮像手段と、被写体への注意喚起をする振り向き音を記憶する記憶手段とを備える撮像装置の制御方法であって、
前記撮像装置の振り向き音設定手段が、前記記憶手段で記憶した前記振り向き音を、被写体の種類に基づき音声再生すべく設定する振り向き音設定ステップと、
前記撮像装置の被写体認識手段が、ユーザ操作に応じて撮影する画像の被写体を認識する被写体認識ステップと、
前記撮像装置の判定手段が、前記被写体認識ステップで認識した被写体の種類を判定する判定ステップと、
前記撮像装置の注意喚起手段が、前記判定ステップで判定された被写体の種類に基づいて、少なくとも前記振り向き音設定ステップで設定した振り向き音の再生により被写体への注意喚起を実行する注意喚起ステップ
とを含むことを特徴とする制御方法。
【請求項７】
ユーザ操作に応じて画像を撮影する撮像手段と、被写体への注意喚起をする振り向き音を記憶する記憶手段とを備える撮像装置を制御するプログラムであって、
前記撮像装置を、
前記記憶手段で記憶した前記振り向き音を、被写体の種類に基づき音声再生すべく設定する振り向き音設定手段と、
ユーザ操作に応じて撮影する画像の被写体を認識する被写体認識手段と、
前記被写体認識手段で認識した被写体の種類を判定する判定手段と、
前記判定手段で判定された被写体の種類に基づいて、少なくとも前記振り向き音設定手段で設定した振り向き音の再生により被写体への注意喚起を実行する注意喚起手段
として機能させることを特徴とするコンピュータで読み取り実行可能なプログラム。
【発明の詳細な説明】
【技術分野】
【０００１】
本発明は、撮像装置を用いた画像の撮影方法に関連し、特に、撮像装置から光や音を発することで、被写体を撮像装置に注目させる撮影方法に関する。
【背景技術】
【０００２】
近年、被写体を撮像装置に注目させる撮影機能が考えられている。撮像の対象となる被写体が、言語を理解できる成人であれば問題がないが、言語をまだ理解できない赤ちゃんであったり、犬や猫等の動物である場合には、被写体が撮影者からの指示を理解できないため、撮影者が撮像装置を向けた場合でも、撮像装置側を向いた姿勢をとるとは限らない。
【０００３】
例えば、犬の顔の正面を撮影するため、撮影者が撮像装置をその犬の正面に向けた場合でも、その犬が顔の正面を撮像装置に向けてくれるとは限らない。また、その犬の顔の正面に撮影者が撮像装置を向けた場合でも、その犬が他の方向を向いてしまうおそれも考えられる。このため、例えば、犬や猫等の動物の顔の正面を撮影する場合には、その動物の顔の正面を撮像装置側に向かせることが重要となる。
【０００４】
特許文献１では、上記課題を解決するために、ユーザによりレリーズボタンが半押しされると、被写体となるペットが興味を持つ音をカメラから出力し、そのペットがカメラに向いたと判断したユーザによりレリーズボタンが全押しされると、この全押しの際の被写体像を銀塩フィルムに露光させるカメラが提案されているその１つとして、
【０００５】
また、特許文献２には、撮像装置およびプログラムが開示されている。この撮像装置およびプログラムにおいては、段落番号＜０００３＞等に記載されているように、子供やペットなどの被写体の顔をカメラに向かせて、最適なタイミングで撮影可能な撮像装置および撮像装置に対する制御を行うためのプログラムを提供する。
【０００６】
また、特許文献３には、撮像装置、その制御方法およびプログラムが開示されている。この撮像装置、その制御方法およびプログラムにおいては、段落番号等に記載されているように、撮影者からの指示を理解できない対象物の撮像画像を適切に記録する。
【先行技術文献】
【特許文献】
【０００７】
【特許文献１】特開２００２−１０７８０７号公報
【特許文献２】特開２００６−０３３３６７号公報
【特許文献３】特開２００９−２１２９８０号公報
【発明の概要】
【発明が解決しようとする課題】
【０００８】
特許文献１に開示された発明によれば、被写体となるペットが興味を持つ音を出力することにより、そのペットの興味をカメラ側に向かせる可能性を高めることができる。そして、そのペットの正面がカメラ側に向いた際に、ユーザがレリーズボタンを全押しすることにより、正面を向いたペットの撮像画像を記録することができる。
【０００９】
また、特許文献２に開示された発明によれば、撮像装置が、被写体を撮像して画像データを生成する撮像部と、撮像部により生成された画像データに基づいて、被写体を特定する特定部と、被写体の注意を喚起する動作を行う注意喚起部とを備えており、子供やペットなど、撮影が困難な被写体の顔を撮像装置の方に向かせて、最適なタイミングで撮影を行うことができる。
【００１０】
また、特許文献３に開示された発明によれば、撮影者からの指示を理解できない対象物（具体的には、動物）を撮影するために、動物の顔がレンズ側に向いた瞬間の適切なタイミングで撮像画像を記録することができる。また、その動物の顔が検出された際にその動物に関連する音声情報を出力してその動物の興味を撮像装置側に向けさせることにより、その動物の顔がさらにレンズ側に向いた瞬間に撮像画像を記録することができる。これにより、その動物の顔の正面の撮像画像を記録する場合に、その動物の顔が撮像装置側に向いた際における適切なタイミングで撮像画像を記録することができる。
【００１１】
しかしながら、先の特許文献１乃至３に開示された発明において、被写体をレンズ側に向けるための注意喚起の音声は、予め何を撮影するか（赤ちゃんなのか、動物なのか）に応じてユーザにより選択された音声を再生をすることが可能であるが、撮影時点で被写体を判別し、被写体のに応じて音声を決定して再生可能ではない。音声の選択中に、シャッターチャンスを逃してしまうおそれもあり、ユーザにとってスムーズに被写体を判別し、撮影する機能が望まれる。
【００１２】
本発明は上記の課題を解決するためになされたものであり、撮像装置が備える顔検出機能により被写体の種類を自動的に判別し、被写体に応じて適切な方法で撮影のための注意喚起をさせる撮像装置を提供することを目的とする。
【課題を解決するための手段】
【００１３】
即ち、本発明の撮像装置は、ユーザ操作に応じて画像を撮影する撮像手段を備える撮像装置において、被写体への注意喚起をする振り向き音を記憶する記憶手段と、前記記憶手段で記憶した前記振り向き音を、被写体の種類に基づき音声再生すべく設定する振り向き音設定手段と、ユーザ操作に応じて撮影する画像の被写体を認識する被写体認識手段と、前記被写体認識手段で認識した被写体の種類を判定する判定手段と、前記判定手段で判定された被写体の種類に基づいて、少なくとも前記振り向き音設定手段で設定した振り向き音の再生により被写体への注意喚起を実行する注意喚起手段とを備えることを特徴とする。
また、本発明の撮像装置は、前記判定手段は、前記被写体認識手段で認識した被写体が、人物の顔であるか動物の顔であるか否かを判定し、前記注意喚起手段は、前記判定手段で前記被写体が人物の顔であると判定された場合に、前記振り向き音設定手段で設定した人物への注意喚起を実行し、前記判定手段で前記被写体が動物の顔であると判定された場合に、前記振り向き音設定手段で設定した動物への注意喚起を実行することを特徴とする。
また、本発明の撮像装置は、前記振り向き音設定手段は、前記被写体認識手段で複数種類の被写体を認識した場合に、どの被写体に対する注意喚起を優先させるかを設定する優先設定手段を備え、前記被写体認識手段で認識した被写体が複数種類ある場合に、前記注意喚起手段は、前記優先設定手段で設定された被写体に対する注意喚起を優先して実行することを特徴とする。
また、本発明の撮像装置は、前記振り向き音設定手段は、前記被写体への注意喚起をする振り向き音を繰り返し再生すべく設定する繰り返し再生設定手段を備えることを特徴とする。
また、本発明の撮像装置は、前記注意喚起手段は、前記撮像手段でユーザ操作に応じて画像が撮像されると、前記振り向き音を停止する停止手段を備えることを特徴とする。
【発明の効果】
【００１４】
本発明によれば、撮像装置が備える顔検出機能により被写体の種類を自動的に判別し、被写体に応じて適切な方法で撮影のための注意喚起をさせる撮像装置を提供することが可能となる。
【図面の簡単な説明】
【００１５】
【図１】本発明の実施形態におけるハードウェア構成を示す図である。
【図２】本発明の実施形態における機能構成を示す図である。
【図３−１】本発明の実施形態における設定時のＵＩを示す図である。
【図３−２】本発明の実施形態における設定時のＵＩを示す図である。
【図３−３】本発明の実施形態における設定時のＵＩを示す図である。
【図３−４】本発明の実施形態における設定時のＵＩを示す図である。
【図４−１】本発明の実施形態における撮影時のＵＩを示す図である。
【図４−２】本発明の実施形態における撮影時のＵＩを示す図である。
【図４−３】本発明の実施形態における撮影時のＵＩを示す図である。
【図４−４】本発明の実施形態における撮影時のＵＩを示す図である。
【図５】本発明の実施形態におけるプログラムで使用する音声ファイルのデータテーブルを示す図である。
【図６】本発明の実施形態におけるプログラムの基本的な処理フローを示す図である。
【図７】本発明の実施形態におけるプログラムの撮影モード時の処理フローを示す図である。
【図８】本発明の実施形態におけるプログラムの設定モード時の処理フローを示す図である。
【発明を実施するための形態】
【００１６】
（第一の実施例）
図１は、本発明の第１の実施形態に係る撮影装置の概略構成を示すブロック図である。図１において、撮影装置は、いわゆるデジタルカメラから成り、撮影用のレンズ１０１、撮像素子（以下、「ＣＣＤ」と称する）１０２、カメラ信号処理部（以下、「ＡＤＣ」と称する）１０３、画像処理部１０４、コントローラ１１０、バッファメモリ１１１、フラッシュＲＯＭ１１２、インターフェース回路（以下、「Ｉ／Ｆ回路」と称する）１１３、カードホルダ１１４、記録媒体１１５、ディスプレイドライバ１１６、および操作部１２０を備える。
【００１７】
図１は、本実施形態に係る情報付加装置を適用した撮像装置の構成を示す図である。撮像装置は、レンズ１０１と、撮像素子（ＣＣＤ）１０２と、カメラ信号処理部１０３と、画像処理部１０４と、記録媒体１１５と、レンズ制御部１２７と、システムコントローラ１１０と、操作部１２０とを含んで構成される。
【００１８】
レンズ１０１は、レンズ等であり、対物レンズ、ズームレンズ、およびフォーカスレンズなどで構成される。ズームレンズおよびフォーカスレンズについては、不図示の駆動機構により光軸方向へ駆動される。
【００１９】
撮像素子１０２は、レンズ１０１から入射した撮像光をを結像し、電気信号（アナログ信号）に変換するして出力するＣＣＤイメージセンサで構成される。
【００２０】
カメラ信号処理部（ＡＤＣ）１０３は、撮像素子１０２から受けた電気信号にデジタル変換やホワイトバランス調整などの信号処理を行なって、デジタル信号に変換する機能を有する。
【００２１】
コントローラ１１０は、画像処理部１０４、バッファメモリ１１１、フラッシュＲＯＭ１１２、Ｉ／Ｆ回路１１３、ディスプレイドライバ１１６、サウンドドライバ１１８、ＬＥＤドライバ１２８、および操作部１２０に接続されている
【００２２】
画像処理部１０４は、前処理部１０５、ＹＣ処理部１０６、電子ズーム処理部１０７、圧縮部１０８、および伸長部１０９を備え、カメラ信号処理部１０３から出力されるデジタル信号から画像データを生成し、各種画像処理を行う機能を有する。
【００２３】
前処理部１０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部１０５は、ホワイトバランス処理およびガンマ補正処理以外の画像処理を実行することも可能である。
【００２４】
ＹＣ処理部１０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部１０７は、画像の一部（例えば中央部）を所定の大きさでトリミングし、トリミングした画像を信号処理で元画像の大きさに拡大する機能を有する。電子ズーム処理部１０７は、例えば、撮影された１６００×１２００ドットの画像から中央の１０２４×７６８ドットの画像を切り出し、データ補間を行いながら１６００×１２００ドットのサイズに拡大することができる。
【００２５】
圧縮部１０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部１０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００２６】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部１０８および伸長部１０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００２７】
バッファメモリ１１１には、画像処理部１０４において画像処理が行われる際に、一時的に画像データが保存される。フラッシュＲＯＭ１１２には、撮影装置の各種設定情報や、後述するユーザ認証情報が保存される。Ｉ／Ｆ回路１１３は、コントローラ１１０から出力される画像データを、記録媒体１１５に記録可能なデータ形式に変換する。また、Ｉ／Ｆ回路１１３は、記録媒体１１５から読み出された画像データ等を、コントローラ１１０で処理可能なデータ形式に変換する。
【００２８】
カードホルダ１１４は、記憶媒体である記録媒体１１５を撮影装置に着脱可能にする機構を備えると共に、記録媒体１１５との間でデータ通信が可能な電気接点を備える。また、カードホルダ１１４は、撮影装置で利用される記憶媒体の種類に応じた構造を有する。記録媒体１１５は、フラッシュメモリなどの半導体記憶素子を内蔵し、カードホルダ１１４に着脱可能なカード型の記憶媒体である。記録媒体１１５には、撮影装置で撮影された画像データを記録することができる。
【００２９】
ディスプレイドライバ１１６は、コントローラ１１０から出力される画像データを液晶ディスプレイ１１７で表示可能な信号に変換する。具体的には、ディスプレイドライバ１１６は、コントローラ１１０から出力されるデジタルの画像データをアナログ画像信号に変換する処理を行い、次に画像サイズを液晶ディスプレイ１１７の表示可能エリアのサイズに適したサイズに変換する処理を行う。
【００３０】
サウンドドライバ１１８は、コントローラ１１０から出力される音声データをスピーカ２１９で鳴動可能な信号に変換する処理を行う。ＬＥＤ（Ｌｉｇｈｔ  Ｅｍｉｔｔｉｎｇ  Ｄｉｏｄｅ）ドライバ１２８は、コントローラ１１０から出力される命令に従いランプ１２９の制御を行う。
【００３１】
操作部１２０は、電源スイッチ１２１、モードダイヤル１２２、撮影ボタン１２３、カーソルキー１２４、ズームボタン１２５、および閲覧（再生）ボタン１２６を備え、ユーザからの操作入力を受け付けて、操作内容に応じた信号をコントローラ１１０に出力する。なお、操作部１２０には、図示の操作ボタン以外の操作ボタン類も含まれるが、それらの説明は省略する。
【００３２】
モードダイヤル（選択ボタン）１２２は、撮影動作のモードを切り替えるための回転可能なダイヤルである。ユーザはモードダイヤル１２２を操作することで、複数の撮影動作モードを選択することが可能である。なお、本発明の実施形態において、モードダイヤルは、ダイヤル式機構として記載をするが、例えば、ダイヤルではなくスライド式のボタンであってもよい。つまり、モードダイヤル１２２について、その機構はダイヤルに限定されず、カメラのモードを切り替えられるための機構を備えていることが本質である。
【００３３】
閲覧ボタン１２６は、撮影した画像データを閲覧する閲覧モード（再生モード）に切り替えるためのボタンである。閲覧ボタン１２６が押下されると、撮影モードから閲覧モードに移行する。なお、閲覧モードへの切替方法については、閲覧ボタン１２６の押下に限定されず、液晶ディスプレイ１１７上のタッチパネル（不図示）などによる移行方法であってもよい。
【００３４】
閲覧モードでは、コントローラ１１０が、Ｉ／Ｆ回路１１３を介して、カードホルダ１１４に装着されている記録媒体１１５から設定情報と画像データを読み出す。設定情報は、現在装着されている記録媒体１１５に記録されている画像の枚数および記録されている画像データの容量などである。読み出される画像データは、例えば、画像１枚分の画像データまたはサムネイルデータである。なお、記録媒体１１５から読み出される画像データは、上述したように所定の圧縮形式で圧縮されている。
【００３５】
記録媒体１１５から読み出された画像データは、Ｉ／Ｆ回路１１３およびコントローラ１１０を介して、ディスプレイドライバ１１６へ入力される。ディスプレイドライバ１１６は、入力された画像データを液晶ディスプレイ１１７に表示させる。
【００３６】
カーソルキー１２４は、ユーザが撮影装置に対する所定の指示や機能選択を行うためのキーである。ユーザは、カーソルキー１２４により、撮影装置に対する各種設定情報やユーザ認証情報などの操作入力を行うことができる。また、カーソルキー１２４により、液晶ディスプレイ１１７にメニュー画面を表示させたり、撮影装置が有する所定の機能を選択することができる。さらに、カーソルキー１２４により、撮影装置で撮影された画像データを液晶ディスプレイ１１７上にレビュー表示させることができる。レビュー表示とは、撮影装置２００で撮影した画像を、その直後に液晶ディスプレイ１１７に表示させる機能である。
【００３７】
なお、レビュー表示については、液晶ディスプレイ１１７上に撮影した画像を１枚のみ表示する構成に限定されず、サムネイル画像を含む複数の画像を表示するように構成してもよい。また、レビュー表示の切り替えについては、カーソルキー１２４の押下に限らず、他のボタンの押下などの一般的な方法を利用して切り替えられる構成にしてもよい。また、レビュー表示画面において、レビュー表示画像の削除や編集などが行えるように構成してもよい。
【００３８】
レンズ制御部１２７は、レンズ１０１のレンズに対して、ズーム、フォーカス、絞り等の制御を行う。また、撮影装置は、被写体を撮像して画像データを得る撮影モードと当該撮影モードで得た画像データを表示する閲覧（再生）モードとを備える。
【００３９】
なお、音声についてはマイクやスピーカを用いることで、撮像装置と同様に記録、及び再生が可能である。また、映像（動画）記録時には、通常音声記録も同時に行われ、圧縮部１０８および伸長部１０９において、映像と音声が多重化される。
【００４０】
また、撮影装置２００における撮影動作について図１を用いて説明する。まず、ユーザが電源スイッチ１２１を操作し、撮影装置２００の電源をＯＮにする。すると、撮影装置２００に内蔵されているバッテリー（不図示）から各回路へ電源供給されて、撮影装置２００の起動処理（レンズバリアを開く動作制御およびマイクロコンピューターのリセット処理など）が行われる。撮影装置２００は、電源ＯＦＦ時に電源スイッチ１２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００４１】
撮影装置２００が撮影モードに移行すると、光学画像がレンズ１０１を介して撮影装置内へ入射し、撮像素子（ＣＣＤ）１０２に結像される。ＣＣＤ１０２は、入射される光学画像を電気信号に変換して、カメラ信号処理部（ＡＤＣ）１０３へ出力する。ＡＤＣ１０３は、入力される電気信号（アナログ信号）をデジタル信号に変換する。ＡＤＣ１０３から出力されるデジタル信号は画像処理部１０４に入力される。
【００４２】
画像処理部１０４内の前処理部１０５では、入力されるデジタル信号に基づき画像データを生成し、ホワイトバランス処理およびガンマ補正処理などが行われる。画像処理部１０４内のＹＣ処理部１０６では、画像データが輝度信号Ｙと色差信号ＣｒおよびＣｂとに分離され、色差信号ＣｒおよびＣｂの情報量を減らす処理が行われる。色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部１０５およびＹＣ処理部１０６において画像処理を行う際は、画像データを一時的にバッファメモリ１１１に保存し、随時バッファメモリ１１１に保存されている画像データを読み出しながら画像処理が行われる。
【００４３】
画像処理部１０４から出力される画像データ（非圧縮）はコントローラ１１０に入力される。コントローラ１１０は、画像処理部１０４から出力される画像データを、ディスプレイドライバ１１６へ出力する。ディスプレイドライバ１１６は、入力される画像データ（デジタル信号）をアナログ画像信号に変換すると共に、アナログ画像信号に基づく画像のサイズを液晶ディスプレイ１１７で表示可能なサイズに調整する。
【００４４】
また、ディスプレイドライバ１１６は、液晶ディスプレイ１１７に画像を表示させるよう制御する。このとき、液晶ディスプレイ１１７に表示される画像は、ＣＣＤ１０２、ＡＤＣ１０３、および画像処理部１０４において、連続的に信号処理されて生成される画像（スルー画像）である。
【００４５】
液晶ディスプレイ１１７にスルー画像が表示されている状態で、ユーザが希望のタイミングで撮影ボタン１２３を操作すると、コントローラ１１０は画像処理部１０４に制御信号を出力する。画像処理部１０４に制御信号が入力されると、圧縮部１０８は、前処理部１０５およびＹＣ処理部１０６において画像処理された画像データをバッファメモリ１１１へ保存し、圧縮処理を行う。
【００４６】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、コントローラ１１０およびディスプレイドライバ１１６を介して液晶ディスプレイ１１７に表示される。また、圧縮された画像データは、カードホルダ１１４を介してメモリーカード１１５に記録される。
【００４７】
撮影ボタン１２３が操作される前にズームボタン１２５が操作されると、コントローラ１１０は光学ズーム処理や電子ズーム処理を実行し、画像の大きさを拡大または縮小させることができる。そして、ズームボタン１２５の操作後、撮影ボタン１２３が操作されると、拡大または縮小された画像の画像データがメモリーカード１１５へ記録される。
以上、図１を用いて本発明を実施する撮像装置のハードウエア構成および撮影機能について説明した。
【００４８】
次に、図２を用いて、本発明を実施する撮像装置の機能構成について説明する。図２は、本発明を実施する撮像装置の機能構成例を示す図である。
【００４９】
図２において、撮影装置は、電源制御部２０１、モード制御部２０２、データ取得部２０３、画像表示制御部２０４、顔検出部２０５、顔判定部２０６、音声データ入出力部２０７、音声鳴動制御部２０８、およびランプ点滅制御部２０９を備える。
【００５０】
まず、ユーザにより電源スイッチ１２１のＯＮ指示がなされると、電源制御部２０１が電源のＯＮを検知する。また、ＯＦＦの指示がなされたら、電源制御部が電源のＯＦＦを検知する。
その後、ユーザがモードダイヤル１２２を操作して設定したモードをモード制御部２０２が判定する。ユーザが撮影した画像データは、設定されたモードに応じて、メモリーカード１１５内に保存される。
【００５１】
撮影装置２００がメモリーカード１１５内に保存された画像データの閲覧（再生）をユーザから要求された場合、データ取得部２０３がメモリーカード内の画像データを取得し、画像表示制御部２０４が画像表示を行う。
【００５２】
撮影中、顔検出部２０５がスルー画像の解析を行い、顔があれば液晶ディスプレイ１１７にアイコンを表示する。さらに顔判定部２０６はその顔の種類を判定する。本実施例では、検出できる顔の種類を「人物」と「動物」の顔としている。どちらの顔であるかを判定する方法は、既知の技術であるが、例えば、特開２０１０−１５４４３号公報に記載の方法で、動物の顔判定を行うことが可能である。注意喚起用音声の登録と解除は音声データ入出力部２０７が行う。音声の鳴動とランプの点滅は音声鳴動制御部２０８、およびランプ点滅制御部２０９が行う。以上、図２を用いて本発明を実施するための撮像装置の機能構成について説明をした。
【００５３】
次に、本発明の実施形態における撮像装置の処理工程について、図６〜８のフローチャートを用いて説明する。図６は、本発明の実施形態におけるプログラムの基本的な処理フローを示す図である。
【００５４】
まず、撮像装置１００は、電源スイッチ１２１の押下を検知して、電源がオンの状態なのか、オフの状態なのかを判断する（ステップＳ６０１）。電源がオンの状態であれば、ステップＳ６０２に進み、モードダイヤル１２２の状態を確認する（ステップＳ６０２）。モードダイヤル１２２が、メニューモードである場合には、撮像装置１００は、設定モードの処理に切り替わる（ステップＳ６０４）。
【００５５】
モードダイヤル１２２が、撮影モードに設定されている場合には、撮像装置は、撮影モードの処理に切り替わる（ステップＳ６０３）。なお、ステップＳ６０３の撮影モードの処理については、図７で詳細に説明をする。また、ステップＳ６０４の設定モードの処理については、図８で詳細に説明をする。
【００５６】
このように、撮像装置１００は、モードダイヤル１２２が撮影モードに設定されているか、あるいは設定モードに設定されているかにより、以下の図７、図８で説明をする処理に分かれる。
【００５７】
はじめに、図８を用いてステップＳ６０４での処理工程について説明をする。図８は、本発明の撮像装置で実行する音声設定方法についてのフローチャートである。なお、図８の各ステップに対応する画面ＵＩは適宜図３−１〜３−３を用いて説明する。
【００５８】
まず、ステップＳ８０１において、撮像装置は、設定モードにおいて、メニューボタンの押下を受け付けたか否かを判定する。メニューボタンの押下を受け付けると（ステップＳ８０１のＹＥＳ）、ステップＳ８０２に進みメニュー画面（不図）を表示する。また、メニューボタンの押下以外の操作指示を受け付けた場合（ステップＳ８０１のＮＯ）には、本ステップＳ８０１をループ処理にて継続させる。
【００５９】
次に、ステップＳ８０２において、撮像装置は、ディスプレイ１１７に表示された設定モードのメニュー画面（不図示）から、ユーザの操作指示による「振り向き音の選択」の選択を受け付けたか否かを判定する。「振り向き音の選択」のボタンを受け付けると、ステップＳ８０３に進み、撮像装置の所定の記憶部（具体的にはフラッシュＲＯＭ１１２）に記憶されている振り向き音声データテーブルを読み込み、振り向き音声データが記憶されるか否かの確認をする。振り向き音声データテーブルについては、図５を用いて詳細に説明をする。
【００６０】
ここで、図５を用いて本発明の実施形態における撮像装置で記憶している振り向き音声データテーブルで備えている項目について説明をする。図５の振り向き音声データテーブルは、「音声ファイル名」、「ファイル形式」、「ファイルサイズ」、「（幼児用振り向き音としての）登録済みフラグ」、「（動物用振り向き音としての）登録済みフラグ」の項目を備えていることが望ましい。
【００６１】
「音声ファイル名」は、後述図３−１の音声データ一覧画面で表示される振り向き音のファイル名であり、本図では、「母親の声１」、「母親の声２」、「動物の鳴き声」が記憶されている。なお、音声ファイル名の設定方法としては、撮像装置のディスプレイ１１７に表示されるファイル名設定画面（不図示）のソフトウエアキーボードによりファイル名の設定が可能である。「ファイル形式」は、「ｍｐ３」に代表される。音声データのファイル形式を示す。「ファイルサイズ」は、音声データのファイル容量を示す。
【００６２】
「登録済みフラグ」は、図８のフローチャートで説明する「設定モード」において、幼児用、動物用いずれかの振り向き音として設定されていることを示すフラグである。値が「０」であれば、振り向き音として設定されておらず、「１」であれば、振り向き音として設定されている状態を示す。
【００６３】
引き続き図８の説明に戻る。ステップＳ８０４において、振り向き音声データテーブルにアクセスをした結果、振り向き音声データが記憶されている場合には、データテーブルに記憶されている振り向き音声データのファイル名を取得（ステップＳ８０５）して、音声データ一覧画面を表示する（ステップＳ８０６）。音声データが記憶されていない場合には、ステップＳ８０１のメニュー画面に戻る。
【００６４】
なお、図３−１は、ステップＳ８０６でディスプレイ１１７に表示される音声データ一覧画面のユーザインターフェース例である。音声データ一覧画面３０１には、後述の図５で説明する振り向き音声データテーブルから取得した音声データのファイル名が表示部（３０２）に表示される。表示部３０２には、「ＰＬＡＹ」ボタン３０３、「ＳＥＴ」ボタン３０４、「ＭＥＮＵ」ボタン３０５が表示されている。
【００６５】
撮像装置は、特定の音声データが選択された状態で「ＰＬＡＹ」ボタン３０３の押下を受け付けると、選択されていた音声データの再生を行う。音声データの再生は、サウンドドライバ１１８により、スピーカー１１９を介して行われる。
【００６６】
また、撮像装置は、特定の音声データが選択された状態で「ＳＥＴ」ボタン３０４の押下を受け付けると、選択されていた音声データを振り向き音として設定する処理を行う。
【００６７】
撮像装置は、「ＭＥＮＵ」ボタン３０５の押下を受け付けると、振り向き音の設定を中止し、ステップＳ８０１のメニュー画面を再び表示する。また、「繰り返し再生する」チェックボックス３０６にチェックを受け付けると、図３−１で選択する音声データを、撮影時に繰り返し再生して、被写体へ効率的に注意喚起することができる。
【００６８】
引き続き、図８の説明に戻る。ステップＳ８０６で、撮像装置は、ディスプレイ１１７に音声データ一覧画面を表示し、振り向き音のプレ再生、若しくは設定受け付け状態でスタンバイする。まず、音声データ一覧画面表示時に、「ＰＬＡＹ」ボタンの押下を受け付けたか否かの判定を行い（ステップＳ８０７）、ユーザ操作により「ＰＬＡＹ」ボタンの押下を受け付けたと判定された場合には、選択中の音声を再生（ステップＳ８０８）を行って、ステップＳ８０７に戻る。
【００６９】
ステップＳ８０７で押下されたボタンが、「ＰＬＡＹ」ボタンではないと判定された場合には、ステップＳ８０９に進み、撮像装置は、同じく「ＳＥＴ」ボタンが押されたか否かを判定する。ユーザ操作により「ＳＥＴ」ボタンの押下を受け付けたと判定された場合（ステップＳ８０９のＹＥＳ）には、撮像装置は、用途選択画面（図３−２）を表示する（ステップＳ８１０）。
【００７０】
ステップＳ８０９で押下されたボタンが、「ＳＥＴ」ボタンではないと判定された場合には、ステップＳ８１１に進み、撮像装置は、同じく「ＭＥＮＵ」ボタンが押されたか否かを判定する。ユーザ操作により「ＭＥＮＵ」ボタンの押下を受け付けたと判定された場合（ステップＳ８１１のＹＥＳ）には、上述のステップＳ８０２に戻りメニュー画面を表示する。ステップＳ８１０では、撮像装置は、用途選択画面（図３−２）を表示した状態でスタンバイとなる。
【００７１】
なお、図３−２は、ステップＳ８１０でディスプレイ１１７に表示される用途選択画面のユーザインターフェース例である。用途選択画面３１１では、表示部３１２に、ステップＳ８０９で振り向き音として設定した音声データの用途を選択する選択肢が表示される。
【００７２】
例えば、本図では、ステップＳ８０９で、「母親の声１」が選択されており、３１２には、「幼児用」、「動物用」の選択肢（３１３）が表示されている。用途選択画面表示時に、３１３の選択肢を受け付けることで、振り向き音の設定を実行する。なお、用途選択画面表示時に、「キャンセル」が選択された場合（ステップＳ８１２）には、上述のステップＳ８０６へ戻る。
【００７３】
引き続き図８の説明に戻る。撮像装置は、用途選択画面が表示された状態で、選択肢３１３の選択を受け付けた場合（ステップＳ８１３）、既に、振り向き音が設定されているか否かを確認する（ステップＳ８１４、ステップＳ８１５）。具体的には、撮像装置の記憶部（フラッシュＲＯＭ１１２）に設定記憶されている、振り向き音声データテーブルの各音声データの設定済フラグの値をを読み込み、ステップＳ８１３で選択を受け付けた選択肢の登録済みフラグが「１」の音声データがあるか否かを確認する。図５の振り向き音声データテーブルには、「幼児用」、「動物用」の登録済みフラグの項目を備えているものとする。
【００７４】
ステップＳ８１４で登録済みの音声データがあるか否かを確認し、登録済みの音声データがあった場合には（ステップＳ８１５のＹＥＳ）、撮像装置は、上書確認画面を表示（ステップＳ８１６）して上書き登録の可否を受け付ける。登録済みの音声データがない場合は（ステップＳ８１５のＮＯ）、ステップＳ８１８に移り、処理中画面を表示する。
【００７５】
ステップＳ８１６で、上書確認画面表示時に、上書き確認を実行する指示として「はい」が選択された場合（ステップＳ８１７のＹＥＳ）には、処理中画面を表示する（ステップＳ８１８）。「いいえ」が選択された（ステップＳ８１７のＮＯ）場合、上述のＳ８１０へ戻る。ステップＳ８１９で、撮像装置は、音声データ登録処理を行い、設定モードを終了する。
【００７６】
具体的には、撮像装置の記憶部（フラッシュＲＯＭ１１２）に図５の振り向き音声データテーブルの該当する音声データの「登録済みフラグ（幼児用、動物用のいずれか）」を「１」にする。
【００７７】
以上の処理によれば、撮影用途（幼児撮影なのか、動物撮影なのか）に応じた振り向き音声データの登録を行うことができる。
【００７８】
次に、図７を用いてステップＳ６０３での処理工程について説明をする。なお、図７の各ステップに対応する画面ＵＩは適宜図４−１〜４−４を用いて説明する。図７は、本発明の実施形態における撮像装置で実行する撮影モードの処理フローを示す図である。
【００７９】
まず、モードダイヤル１２２が、撮影モードに切り替えられ、スタンバイ状態となる。ステップＳ７０１で、メニューボタンが押下されたか否かの判定を受け付ける。メニューボタンの押下を受け付けた場合（ステップＳ７０１のＹＥＳ）には撮影設定画面が表示されるため撮影モードが終了（中断）する。
【００８０】
なお、図４−１は、ステップＳ７０１を表すインターフェース例であり、モードダイヤル１２２を回転させ撮影モードのうち、撮影シーンの「キッズ＆ペット」に設定をしておく。
【００８１】
メニューボタンの押下ではなく（ステップＳ７０１のＮＯ）、撮影ボタン１２３の半押しを受け付けた場合（ステップＳ７０２のＹＥＳ）には、自動露出（Ａｕｔｏｍａｔｉｃ  Ｅｘｐｏｓｕｒｅ）、オートフォーカス（Ａｕｔｏ  Ｆｏｃｕｓ）、およびホワイトバランス（ＡＷＢ）の処理を行う（ステップＳ７０３）。図４−２は、ステップＳ７０２の状態を表すユーザインターフェース例である。図４−２では、撮像装置を被写体へ向け、シャッターボタンを半押し状態にする。この時に、ＡＥ、ＡＦ、ＡＷＢ等の処理と共に顔検出が実施される。
【００８２】
ステップＳ７０４で、撮像装置は、撮影ボタン１２３の半押し状態で、撮影シーンの確認を行う。この時に、設定されている撮影シーンが「キッズ＆ペット」であるか否かの判定を行う。設定されている撮影シーンが「キッズ＆ペット」である場合（ステップＳ７０４のＹＥＳ）には、撮像装置は、顔検出を開始（ステップＳ７０５）する。
【００８３】
続いて、ステップＳ７０６で、撮像装置は、ステップＳ７０５で顔検出により検出した顔について判定を行う。判定の結果、動物の顔と判定された場合には動物用振り向き音声データ（Ｓ７０７）を、幼児の顔と判定された場合には幼児用振り向き音声データをバッファメモリ１１１へ読み出す（ステップＳ７０８）。その後、読み出した音声を鳴動し、同時にランプを点滅させる等で注意喚起を開始する（ステップＳ７０９）。このときの、ステップＳ７０４〜ステップＳ７０９までの処理を表すインターフェース例が図４−３である。
【００８４】
図４−３は、撮像装置を被写体へ向け、シャッターボタンが半押しされている状態である。この状態で顔が検出されると、検出位置を示すアイコンがＬＣＤ上へ表示される。更に検出された顔が音声登録済みの被写体であると判定されると、登録済みの注意喚起用音声の鳴動が開始される。このとき、顔が複数検出され、その種類が別々であると判定された場合、それらすべての注意喚起用音声を同時に鳴動させる構成としてもよいし、優先的な注意喚起用音声を予め決めておき鳴動する構成としてもよいし、これらの動作を選択可能な構成としてもよい。
【００８５】
また、動物の顔検知の具体的な方法については、現在既知の技術を用いることにより実現可能であるが、例えば、特開２０１０−１５４４３号公報でも同様の方法で動物の顔検出を行っているため、本技術は、既知の技術という認識である。
【００８６】
ステップＳ７０９では、先述の図８で設定をした振り向き音声データの再生が始まると同時に、撮像装置筐体前面（レンズ側）のランプが点灯して、被写体の注意喚起をする。ステップＳ７１０において、撮像装置は、シャッターボタン（撮影ボタン１２３）が全押しされたことを検知すると（ステップＳ７１０のＹＥＳ）、振り向き音とランプを停止（ステップＳ７１１）した上で被写体の撮影、記録処理を行う（ステップＳ７１２）。ステップＳ７１０で、シャッターボタンの全押しではない（ＮＯの方）場合には、ステップＳ７１３へ進み、半押しが解除された状態であるかの判定をする。シャッターボタンの半押しが解除された場合（ステップＳ７１３のＹＥＳ）は、ステップＳ７１４で、音声とランプの停止のみを行う。
【００８７】
図４−４は、ステップＳ７１０〜Ｓ７１２のインターフェース例である。振り向き音によって被写体がカメラ方向を向いた時に、撮影者からの操作指示によりシャッターボタンの全押しを受け付ける。注意喚起用音声の鳴動が中止され、通常どおり撮影と記録の処理が実施される。
【００８８】
以上、図７のフローチャートの処理によれば、幼児や動物を撮影する設定状態で被写体の顔を検知した時に、被写体の種類（具体的には、動物か、人物（幼児）か）を判別することにより、動的に振り向き音を変更することができ、被写体にとってより興味を惹く音声再生とランプの点灯制御が行える。
【００８９】
（第二の実施例）
先述の第一の実施例によれば、振り向き音の設定を予め行っておくことにより、撮影時に被写体の種類を判別して音声再生、ランプの点灯を実行することが可能である。しかしながら、第一の実施例は、画像の被写体が単体であることを想定した処理であるため、第二の実施例では、複数の被写体を撮影する場合であり、かつ動物、人物（幼児）の両方が被写体として検出される場合についての振り向き音の再生方法について説明する。
図８の設定モードにおいて、ステップＳ８０1〜ステップＳ８１９までは、第一の実施例と同様の処理を行うため、説明を省略する。
【００９０】
ステップＳ８１９で音声データを記憶部に登録した後、撮像装置はディスプレイ１１７に図３−４の優先設定画面を表示する（ステップとしては不図示）。図３−４は、登録した音声データのどちらを優先的に再生するかの選択を受け付ける優先設定画面である。優先設定画面３３１は、表示部の３３２に、「被写体複数時、どちらを優先しますか」という趣旨のメッセージを表示する。選択肢の３３３には「幼児（用の音声）」、「動物（用の音声」
、「交互に音声を再生」、「検出数が多い被写体の音声を再生」という選択肢が表示される。
【００９１】
「幼児用」の選択を受け付けた場合には、人物（幼児）と動物が同時に画像の被写体として検出された場合に、「幼児用」として設定された振り向き音が再生されることとなる。「動物用」の選択を受け付けた場合には、人物（幼児）と動物が同時に画像の被写体として検出された場合に、「動物用」として設定された振り向き音が再生されることとなる。また、「交互に音声を再生」の選択を受け付けた場合には、図８で被写体の種類ごとに設定をした音声データが交互に再生される。
「検出数が多い被写体の音声を再生」の選択を受け付けた場合には、図７のステップＳ７０５〜ステップＳ７０６でシャッターボタンの半押しを受け付けて、顔検出および判定をする際に、例えば、３つの顔を検出して、その内訳が「幼児：動物＝１：２」であれば、動物の方が多く被写体になっていると判定し、動物用に設定された振り向き音が再生される。
【００９２】
第二の実施例によれば、複数種類（人物と動物）の被写体を撮影する場合に優先再生をする音声データを設定しておくことにより、より注意喚起を促したい被写体に対して優先的に振り向き音を再生することが可能になる。また、３以上の被写体撮影時には、被写体の内訳に応じて、（人物と動物の）どちらか多いほうの被写体の振り向き音を動的に再生することが可能である。
【００９３】
以上で、本発明の撮像装置で実行する処理の説明を終える。なお、本発明の実施形態では、撮像装置のディスプレイ１１７が、タッチパネル機能を有しているものであれば、ユーザからの指示受付は、操作部のカーソルキー１２４などを用いることなく、ディスプレイ１１７への押下を直接受け付けることにより、制御を実行することが可能である。
【００９４】
以上、本発明によれば、撮像装置が備える顔検出機能により被写体の種類を自動的に判別し、被写体に応じて適切な方法で撮影のための注意喚起をさせる撮像装置を提供することが可能となる。具体的には、ユーザ操作に応じて画像を撮影する撮像手段を備える撮像装置において、被写体への注意喚起をする振り向き音を記憶する記憶手段（フラッシュＲＯＭ１１２に記憶）と、前記記憶手段で記憶した前記振り向き音を、被写体の種類に基づき音声再生すべく設定する振り向き音設定手段（図８のステップＳ８１９）と、ユーザ操作に応じて撮影する画像の被写体を認識する被写体認識手段（図７のステップＳ７０５）と、前記被写体認識手段で認識した被写体の種類を判定する判定手段（図７のステップＳ７０６）と、前記判定手段で判定された被写体の種類に基づいて、少なくとも前記振り向き音設定手段で設定した振り向き音の再生により被写体への注意喚起を実行する注意喚起手段（図７のステップＳ７０７またはステップＳ７０８）とを備えることを特徴とする。
【００９５】
以上説明したように、本発明におけるプログラムは、図６〜図８に示すフローチャートの処理に従って撮像装置としてコンピュータが実行可能なプログラムであり、本発明の記憶媒体は図６〜図８の処理方法を撮像装置が実行可能なプログラムを記憶されている。なお、本発明におけるプログラムは図６〜図８の各装置の処理方法ごと、別の独立したプログラムであってもよい。
【００９６】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。この場合、記録媒体から読み出されたプログラム自体が本発明の新規な機能を実現することになり、そのプログラムを記憶した記録媒体は本発明を構成することになる。
【００９７】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００９８】
また、撮像装置が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９９】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１００】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０１】
さらに、本発明を達成するためのプログラムをネットワーク上のサーバ，データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【０１０２】
また上記のソフトウェアで実現する各処理を、ファームウェアやハードウェア構成にして、各処理を各手段として実現することも可能であり、本発明の技術的範囲はこのようなファームウェアやハードウェア構成による実現も含むものである。
【符号の説明】
【０１０３】
１０１  光学系（レンズ）
１０２  撮像素子（ＣＣＤ）
１０３  カメラ信号処理部
１１０  システムコントローラ
１１７  ディスプレイ
１２０  操作部
【図１】
2015208029.tif 000003
【図２】
2015208029.tif 000004
【図３−１】
2015208029.tif 000005
【図３−２】
2015208029.tif 000006
【図３−３】
2015208029.tif 000007
【図３−４】
2015208029.tif 000008
【図４−１】
2015208029.tif 000009
【図４−２】
2015208029.tif 000010
【図４−３】
2015208029.tif 000011
【図４−４】
2015208029.tif 000012
【図５】
2015208029.tif 000013
【図６】
2015208029.tif 000014
【図７】
2015208029.tif 000015
【図８】
2015208029.tif 000016